(57)【要約】      （修正有）【課題】対象上を移動するため、滑る等対象の状態に左右されて、安全でない。また、地面をけって移動するために地面の状態ですべる、空回りする等の駆動がきかない状態を呈する。そのために、危険が冬季等の凍結状態での安全な走行は困難となる。【解決手段】回転体９の一部分、切片６を分離、離脱することにより、発生する一部分の遠心力を、回転体９および属する系が捕捉して、回転体９および回転体の属する系を移動して解決する。【選択図】図５
2010265841.tif 000002
【特許請求の範囲】
【請求項１】
進行させるべき方向に遠心力発生部兼捕捉部を有する枠を、移動具を備えた支持体に取り付けるとともに、回転体を上記枠内に回動可能に支持し、かつ上記回転体に支持された遠心力移動具と、上記遠心力移動具を上記回転体の中心方向に付勢する付勢手段を設けたことを特徴とする回転体の遠心力による移動体
【請求項２】
回転体の回転で遠心力発生部兼捕捉部で発生する、遠心力移動具の遠心力による移動力を、上記遠心力発生部兼捕捉部又は付勢手段で捕捉することで、当該遠心力発生部兼捕捉部方向に移動することを特徴とする請求項１記載の回転体の遠心力による移動体。
【請求項３】
支持体が移動具を有して、かつ遠心力発生部兼捕捉部を、求める移動方向に向ける手段を具備していることを特徴とする請求項１記載の回転体の遠心力による移動体。
【請求項４】
複数の遠心力移動具で、回転体を構成することを特徴とする回転体の遠心力による移動体。
【請求項５】
遠心力発生部と、遠心力移動具を捕捉する捕捉部が兼用していないことを特徴とする回転体の遠心力による移動体。
【請求項６】
出力て回転する回転体を、接する枠と付勢手段の縮力で、遠心力を発生せず回動して、上記遠心力が上記縮力に勝ると、分離状態の遠心力移動具は上記回転体を離脱して、移動して上記枠の遠心力発生部兼捕捉部を押すとともに、上記遠心力移動具と回転体を連結した付勢手段で、回転体を進行方向に引くことで支持体である系が上記遠心力発生部兼捕捉部方向に移動することを特徴とする請求項１記載の回転体の遠心力による移動方法。
【請求項７】
出力て回転する回転体を、接する枠と付勢手段の縮力で、遠心力を発生させず回動して、停止状態で発生するジャイロ効果で、搭載設置した被移動体とともに転倒しないことを特徴とする回転体の遠心力による移動方法。
【請求項８】
出力により回転する回転体を形成して、該回転体の一部分を分離して、求める方向に、遠心力で離脱した一部分を回転体および回転体の属する系が捕捉することにより移動することを特徴とする回転体の遠心力による移動方法。
【請求項９】
回転体の遠心力による重心移動で発生する速度が、上記回転体および属する系の現時点の移動状態に加わることにより、速度が累積して、上記回転体および属する系が移動することを特徴とする回転体の遠心力による移動方法および移動体。                                          
【請求項１０】
一部分を分離した回転要素を有する物体、又は回転体の回転で、発生する遠心力で接線方向に離脱して移動する上記一部分を、当該回転要素を有する物体又は回転体および属する系が捕捉することにより、遠心力が発生するごとに、自己移動することを特徴とする回転体の遠心力による移動方法および移動体。
【発明の詳細な説明】
【技術分野】
【０００１】
出力で回転する、回転体の遠心力にによる移動方法および移動体に関する。
【背景技術】
【０００２】
出力で回転する物体の、回転体の移動は、その重心を押す直線の作用反作用による移動方法とされている。
【先行技術文献】
【特許文献】
【０００３】
【特許文献１】特願２００５−１１２７１８
【非特許文献】
【０００４】
【非特許文献１】最高裁上告文ー平成２０年（行ノ）第１３９号
【非特許文献２】最高裁上告文ー平成２０年（行ヒ）第１５１号
【発明の概要】
【０００５】
本願発明は、回転体を含むすべての物体がその重心を押されて、加力方向と同じ方向に移動する移動方法の他に、
物体の重心を直角又は接線を押して回転する回転体が、重心を押さずに、移動体となる移動方法の事実が、見慣れた移動方法で移動していることの発見を利用した物体の回転で生ずる遠心力による移動移動方法および移動体の発明である。
【発明が解決しようとする課題】
【０００６】
車両の車輪である回転体による移動は、地面等の対象上を、対象を摩擦により後方に、横方向に蹴って逆方向に移動して、制動時には逆方向に加力して移動する。とする。
そのために、対象が濡れている等で、摩擦がきかない場合は、進行あるいは制動がきかず危険である。
特に、二輪車および一輪車はその構成上、停止状態では転倒する構造であり、用いる者に不具合となる。
【０００７】
すなわち、回転体による移動は、重心を押して移動する移動と同一の移動方法として、扱われて、古来対象を蹴る移動方法は、重心を押す直線の作用反作用による移動を意味して、その結果が地球温暖化の原因となる、主として人間の移動のための出力の浪費による。
その他回転体の回転による移動を、重力下にあるため回転していない物体の重心を押して移動する移動方法と同一の移動方法と混同したために、回転体本来の移動がなされていない、古来の、重心を押す物体移動と混同したことによる、出力エネルギーの浪費を招いた結果が、温暖化等の危機を来している。。
【課題を解決するための手段】
【０００８】
出力を重心に受けた回転体を含むすべての物体は、加えられた力（以下加力と称す）と同じ方向に移動する。
また、物体の接線に、即ち重心と直角又は接線に加力された物体は、回転体となる。  
即ち、物体は重心に直角又は接線に入力して回転体となる。
【０００９】
物体が入力により回転する回転体となり、回転体は回転運動はするが、その重心は移動しないで、その場で回転運動をするのみであり重心移動しない。
本願は、出力で回転運動はするが移動しないで回転する、回転しない物体が変化した回転体が、重心移動する原理を用いた発明である。
回転体を含むすべての物体の移動は、その重心を押して直線の作用反作用となる移動方法がある。
【００１０】
その他に回転する物体となった重心移動しない回転体の移動には、  回転体の一部分を破壊あるいは分離して、遠心力で離脱して直線移動する移動原理とがあり、重心を出力で押す直線の作用反作用となる回転体を含むすべての物体の移動原理に加えて、回転体独自の移動原理である。
本願は回転体の部分の分離離脱による遠心力により、回転体が消失する移動原理を用いた発明で、課題を解決する。
【００１１】
物体の回転は物体の重心を押さずに、重心を直角又は接線を押して得られて、回転はするが重心の移動は得られない事実であり、回転の運動原理である事実である。
【００１２】
その他に回転体の移動には、回転体の一部分が破壊あるいは分離して、遠心力で離脱して、回転運動が直線移動に変わる現象事実がある。
すなわち、回転体の一部分が分離して遠心力で離脱して、直線移動して回転体が消失する現象事実である。  
この現象事実は、二方向成分で構成する、重心移動しない回転運動が、遠心力により接線で直線移動に変わって重心移動して消失する移動原理の現象事実である。
また、回転に用いる出力は人力、電力あるいは内燃機関等、その種類を問わない。
【００１３】
本願は、遠心力による移動原理を用いた発明である。
【００１４】
遠心力による移動は、回転体の構成部分を破壊又は分離して離脱することで、回転体は遠心力で直線移動する物体に変化して、回転体がなくなるまで、全体が直線移動する原理の現象事実の、遠心力で直線移動する構成部分を、回転体および属する系か捕捉して、移動することを特徴とする遠心力による移動方法の発明である。
原理事実実例として、瓢箪等の桂剥きの現象事実と等しく、手動等の出力で回転する瓢箪の接線に、刃物を当てることにより、瓢箪は直線移動してゼロまでなくなるもので、いずれの現象事実も、何人も否定できない。
【００１５】
すなわち、直線の作用反作用による従来古来の移動方法は、物体の重心を押して移動するために、出力の内の移動方向の出力成分のみを用いて移動力を得て、他の出力成分は廃棄して成り立つ。
ロケット等を例とすれば、進行方向の出力のみを用いて、他は勇ましく廃棄しており、他の内燃機関等も同種である。
本願回転体による移動は、３６０度方向からの出力で物体の重心に直角又は接線に入力で得られる回転力を直接遠心力による直線の移動力として取り出して、ロスはない。
【００１６】
すなわち物体の中心（重心）に直角又は接線に、出力で加えられた力を、遠心力として移動力として取り出して用いる発明である。
【００１７】
上記原理による移動方法は、重心を押して移動する古来の移動方法の結果が来した出力の浪費が主因をなすとする、地球温暖化を、出力による物体の重心に直角又は接線への加力により回転体への入力方向が出力方向であり、入力に対して出力の損失は起こらない移動方法の発明で課題を解決する。                      
【００１８】
この現象事実は、遠心力による直線移動が発生する、回転体による移動の根本原理による発明である。
【００１９】
詳述すれば、重心移動する物体が有している回転力による移動しない回転は、重心移動とは関係なく回転する原理の現象事実である。
また、出力による作用と移動する反作用が、等価であっても、重心に受ける場合と、重心に直角又は接線に受ける場合とは異なる事実となる。
【００２０】
すなわち、等しい質量であっても、出力を重心に受ける場合と、重心に直角又は接線に受ける場合では、前者では受ける質量の大小に拘わらず、移動が発生するが、後者では、重心移動が発生せず、回転運動となる事実である。    
この現象を出力よりみれば、出力を重心に受けたすべての物体は、出力方向に移動するが、出力を重心に直角又は接線に受けた物体は、出力を回転運動に変換して移動しない回転運動となる。
物体移動には、巨視的あるいは微視的に見ても、重心方向と接線方向の加力方向がある。
【００２１】
その結果、回転力を円弧移動あるいは遠心力の移動として、回転力を重心移動に変換することにより、即ち重心移動しない回転体の回転力を、基礎の次元となる重心移動として直線の作用反作用による移動、あるいは慣性移動する移動に解放することを意味しており、対象が滑る等の状態と関係なく、移動体の移動速度は方向により±に元の移動速度に増加して累積する原理の発見に基づく発明である。
【００２２】
したがって、重心移動しない回転運動となった回転体の回転力を重心移動に変換して解放した移動速度は、その時点の移動速度と関係なく、その時点の速度あるいは状態に累積して、後方を蹴らないために対象との関係もなくなる自己移動となる。
【００２３】
回転体の回転力を解放するために、円弧移動では、逆回転方向に、重心に直角又は接線に加力して、表れる合力の内の直角成分に対して加力方向とは、互いに直角の作用反作用であり、遠心力による移動では、回転に対して接線方向の３６０度、即ち平面方向に自由であり、作用と反作用は自由となり、回転を得る入力方向の、いずれの場合も３６０度で、回転を得る入力方向も自由である。
端的な例として、野球投手が投げるボールの方向は、水平と限らず、円周の全接線方向である。
また、踏ん張る足は水平と限らず、直立した壁でもよく、すなわち回転方向は、同じく３６０度方向である。
すなわち,円弧移動では作用と反作用が互いに直角となり、遠心力による移動では、作用と反作用が、互いに回転方向に自由となる。
【００２４】
以上より、温暖化防止だけでなく、宇宙移動のように求める速度が大きく、時間あたり大きな加速が必要な、重力脱出等の場合ほど、消費出力は小さく、物体移動に対する概念が変わる。
すなわち、回転体の全体を分離した一部分の集合体として構成して、回転体を回転すれは、一周すれば回転体の質量全部が接線方向に移動して、移動質量は大きく、重力加速度を容易に超えられる。
円弧移動する先願の実証例は既述した陸上走行と氷上走行の時間差が重力下の好例であり、宇宙の物体移動では、重心を押す物体移動と同一とする、直進しないで円弧移動している地上の回転体あるいは回転要素によるの移動のほうが特殊例である。 
また、重心を押す直線の作用反作用では、最大出力の第一撃のみが用いられて、以後の出力成分は、重心を押すために利用不可能となり、すべての従来の出力機関で廃棄しているが、重心を押さない回転体の出力では、元の速度に、次元の違う回転力が変換されて、直角に速度が入るために、残った出力ごとに加速が出力の大小に関係なく加えられて、出力がゼロ状態となるまで用いることができて、従来廃棄していた出力を利用できる。
【００２５】
すなわち、本願は永久機関等の出力機関の発明ではなく、発生する出力の用い方に関する発明であり、従来の直線の作用反作用による移動方法では、出力の用い方が第一撃のみ、あるいは累積して移動できない、あるいは地面等の対象が必要であり、出力方向のみの利用等の欠点を解消する発明であり、前記第一撃以外の説明可能な範囲を実施する。、
当然の帰結として、従来の物体移動に比して、回転体による移動が省力であり、危急を要する環境の悪化を躱すことができる。
【００２６】
まとめると、すべての物体の移動には、出力で重心を押して移動する、直線の作用反作用となる移動原理の他に、物体には、重心を直角又は接線を押して、重心移動しない回転に変化した回転体には、回転体の逆回転方向に直角又は接線に加力して、回転体の回転力で重心円弧移動する原理と、回転体の構成部分の一部分を分離して、遠心力で離脱して直線移動する移動原理の、電磁波に変化する等以外の、物質物体としての三種の移          動原理があり、
【００２７】
本願は、出力により物体の重心を直角又は接線を押して、移動しない回転体を形成した、該回転体の一部分を分離して、遠心力で離脱した一部分を捕らえることにより移動することを特徴とする移動方法および移動体の発明である。
【発明の効果】
【００２８】
本願は出力による回転体の移動は、回転体がその構成部分である一部分を破壊あるいは分離して遠心力で離脱した一部分が有する移動力で移動する原理であり、一部分を捕らえることによる移動方法で成り立つ発明である。
回転を得る入力方向は、３６０度の全方位であり、出力の反作用を地面等の対象でとる場合以外は、必ずしも対象が重力方向の地面とは限らない。
【００２９】
したがって、重力下では縦置きして転がるが、横置きでも移動して、宇宙では縦横の区別はない。、
地上で制動で利用する他は、転がり車輪にかかる重量のみが対象に伝わって、円弧移動は重心に直角又は接線への加力により重心が円弧移動して、また遠心力による一部分の、分離、離脱した一部分を、回転体、および属する系が捕捉して重心の移動力となり、  遠心力の場合は対象との関係は全くなくなり、いずれも対象の状態に左右されずに、安全な移動ができる。
特に、遠心力による移動は、停止時に回転体の回転が、重心移動しないで得られるために、ジャイロ効果により転倒を免れて、安全に資するとともに、
【００３０】
とりわけ、直線の出力で入力した回転力となった運動力が、ギャー等の伝導装置により直線の作用反作用により再び回転として対象に対して、摩擦による横方向の加力により移動する、とする無駄の多い、重心を押して移動を得るとする、従来の直線の作用反作用による移動方法ではなく、回転体の部分の分離離脱による、遠心力の直線移動力を、直接用いる利点は大きく、重心を押す移動方法の出力の浪費が原因の小手先の改善では間に合わない、地球温暖化等の環境悪化の根本的な改善策であり、また、従来の摩擦による回転体の制動、加速と併用できる。
【図面の簡単な説明】
【００３１】
【図１】冬瓜の干瓢作りを表す遠心力の移動原理を表す斜面図。
【図２】支持体上の回転体の一部分を切り欠いて、一部分を伸縮材で連              結して回転体を回転すると、分離している切片が遠心力で離脱す              る動作図。
【図３】複数の切り欠きと嵌合する切片と回転軸側とを伸縮材で各々を              連結して構成した側面図。
【図４】進行方向に膨らみを有する環状枠を支持体上に形成して、支持              体の立ての部位に、回転体の回転軸を回動可能に挿入して、環状              枠で囲繞して構成した側面図。
【図５】出力て回転体を環状枠内で回転して、切片が離脱して膨らみを              押し伸縮材で回転軸を引く状態の動作図で、地面等対象の前後動                  状態に関係なく移動している。
【図６】図５の断面図で、出力機を回転軸に取り付けた構成断面図。
【図７】回転体を構成する球体が、貫通する棒を前後動して進行                              方向の開口部に、遠心力で移動する側面図。
【図８】回転体を内接する環状枠を取り付けた支持体の上部にハンドル                    装置を設置して,回動可能として、下端をベアリング等の回動装                    置で回動可能とした、動力装置を有する系を被移動体に取り付け                て用いた要部断面図。
【図９】図８の系を、水上の船等の推進装置を有しない被移動体に搭載              した要部側面図。
【図１０】図８、９の系の支持体部分の、要部断面図。
【図１１】支持体がハンドル装置の操作により上下等、求める全方向へ膨                らみが向いて移動するべく、下端を形成した要部部分断面図。
【発明を実施するための形態】
【００３２】
回転体の移動には、円弧移動原理と遠心力による移動原理があり、各の原理を用いた重心の移動方法および移動体の発明であり、回転体を含む物体の重心を押す移動方法の他に、物体の重心を直角又は接線を押して回転を得た、回転体独自の重心移動となる。    
本願では重心の遠心力による移動方法および移動体を移動原理から詳述する。
【実施例１】
【００３３】
本実施例は、移動原理を詳述するもので図１は、冬瓜１の干瓢２作りを表す斜面図で、ハンドル３で冬瓜１を、回転方向を示す矢印１‘方向に回転して刃物４を当てると、干瓢２は接線方向に連なって飛んで行く、ありふれた遠心力の現象原理の移動状態の動作図であり、回転体がその一部分を分離して、離脱することにより、移動しない回転運動が遠心力で直線移動に変化する、原理の現象事実を表し、何人も否定できない。
【００３４】
図２は、下端に転がり輪１２の移動具を有する支持体１０の直立部位に穿設した穴１１に、切欠き５の付勢手段を有して、切欠き５の付勢手段に嵌合する切片６の付勢手段と回転軸１１を伸縮材１６で連結しで構成した回転体９の回転軸１１を、回動可能に取り付け、出力で回転体９を回転すると、伸縮材１６の縮力に勝る速度になると、切片６は遠心力で接線方向に離脱する動作図であり、
【００３５】
図３は、複数の切欠き５を有して、該切欠き５に嵌合する切片６と回転軸１１側とを伸縮材１６で、切片６が出入り可能に各々を伸縮材１６で連結して構成した回転体９の回転軸１１を、支持体１０の直立部位に穿設した穴１５に、回動可能に挿入した構成を表す側面図てあり、回転状態で伸縮材１６の縮力が遠心力に勝る状態の原理を表す。
【実施例２】
【００３６】
図４では、進行方向に膨らみ７の遠心力発生部兼捕捉部を有する環状枠８の枠を、下端に転がり輪１２の移動具を有する支持体１０上に形成して、複数の切欠き５の付勢手段を有して、該切り欠き５に嵌合する切片６の遠心力移動具と回転軸１１側とを伸縮材１６の付勢手段で、切片６が出入り可能に各々を伸縮材１６で連結して構成した回転体９の回転軸１１を、支持体１０の直立部位に穿設した穴１５に回転体９の回転軸１１を回動可能に挿入して、環状枠８の枠で囲繞して構成したことを特徴とする構造の側面図であり、図３、４では、回転体９の切片６の遠心力移動具が、環状枠８の枠および伸縮材１６の付勢手段の縮力で、回転しても遠心力による移動が発生しないで、停止している状態でも、回転によるジャイロ効果は発生して、転倒を防ぐことを特徴とする移動体である。
【００３７】
文中、遠心力発生部兼捕捉部は、枠の膨らみ７の他に、後述する開口等が捕捉部を兼ねる。
遠心力移動具は、回転体を構成する部分が、分離して遠心力で離脱して移動する部分であり、回転体又は回転要素を構成するものであるる。、
移動具は、転がり輪１２の他、水上のフロート、そり等、自己および被移動体への取り付け具２２を表わす。
付勢手段は、回転体９に形成した切欠き、伸縮材１６、枠の円形部等の同心回転のための求心作用をして、遠心力の発生を抑制する。
すなわち
進行させるべき方向に遠心力発生部兼捕捉部を有する枠を、移動具を備えた支持体に取り付けるとともに、回転体を上記枠内に回動可能に支持し、かつ上記回転体に支持された遠心力移動具と、上記遠心力移動具を上記回転体の中心方向に付勢する付勢手段を設けたことを特徴とする回転体の遠心力による移動体である。
【実施例３】
【００３８】
図５，６で表す出力機１７の、出力て回転体９を環状枠８の枠内で回転すると、回動する回転体９の切片６の遠心力移動具に内接する環状枠８と、伸縮材１６の付勢手段の縮力とで遠心力を発生せず、回動のジャイロ効果が得られて、速度が上がって遠心力が縮力に勝ると、環状枠８の枠の円形部位では、遠心力は作用せず、膨らみ７の遠心力発生部部位で分離している切片６の遠心力移動具は遠心力で離脱して、移動して膨らみ７の遠心力発生部部位で捕捉して、押すとともに、切片６の遠心力移動具と回転軸１１を連結した伸縮材１６の付勢手段は回転体９を進行方向に引くことで支持体１０が求める進行方向である膨らみの遠心力発生部方向に移動することを特徴とする移動状態の動作図および断面図である。
【００３９】
すなわち、
回転体の回転で遠心力発生部兼捕捉部で発生する、遠心力移動具の遠心力による移動力を、上記遠心力発生部兼捕捉部又は付勢手段で捕捉することで、当該遠心力発生部兼捕捉部方向に移動して、かつ支持体である系が被移動体への取り付け具又は自己移動具の移動具を構成している。
したがって移動する系２４は、対象が滑る、動いている等と関係なく移動する。
図中２２は取り付け具である。
【実施例４】
【００４０】
図７は、回転体９が円形でなくても、また環状枠８の枠の膨らみ７の遠心力発生部がなくても、回転体９を構成する、環状枠８の遠心力発生部に内接する部位に滑車１８を設置して滑動する球体１９が、貫通する棒２０が棒端の止め部２１により、前後動して開口した進行方向の遠心力発生部方向に遠心力で移動することで、回転体９を含む系全体が移動することを特徴とする移動方法の移動体である。
取り付け具２２で被移動体２５に取り付けて回転軸１１を、他の実施例と同様に出力で回転すれば、球体１８の遠心力移動具は枠の円形部分で遠心力の発生を抑制されて、開口部で遠心力で、止め部２１まで移動して被移動体２５ごと移動する。、
本実施例では、遠心力発生部と、遠心力移動具を捕捉する捕捉部が兼用していないことを特徴として、膨らみに相当する開口部分の遠心力発生部は、遠心力による移動を発生する部分であり、回転体の外周全体を緊縮して、求める方向のみを緊縮材を緩める，あるいは開口することにより、、遠心力を発生して、移動することが可能となる。
【００４１】
遠心力の発生する方向を制御することにより、移動方向が得られて、切片に相当する遠心力移動具で移動する物体の移動を止め部１９で係止して、系全体の移動が得られる。  
本実施例では、遠心力の発生部と捕捉部が分離した形状を呈して，遠心力移動具により、膨らみ７の場合と異なるが形状は変化しても、遠心力の発生する部位と、移動具を捕捉する部位で遠心力による移動は成り立つ。
【実施例５】
【００４２】
図８から図１１は、回転体９の支持体１０の上端にハンドル装置３を設置して、下端の転がり輪の移動具２３に替えて、取り付け具２２で被移動体２５に搭載設置するもので、下端に回動装置２３を構成した構造の系２４を、被移動体２５に搭載して用いるものである。
出力で回転体９を回転して発生する遠心力により移動する枠を、上部のハンドル装置３と下部の回動装置２３で、求める方向に移動することを特徴とする。
図８、９、１０では、地面等の対象上を移動するために、出力機の遠心力による移動を表し、
【００４３】
以上より、回転体９、回転体９を回転する出力機１７、出力機の動力装置２６、環状枠８、上端のハンドル装置３、下端の回動装置２３を取り付けた支持体１０より構成する系２４を、移動装置あるいは駆動装置を有していない被移動体２５に搭載設置したもので、動力装置２６による出力機１７の出力により回転体１０を回転して、発生した遠心力により、環状枠９の膨らみ７である遠心力発生部兼捕捉部の向きにより被移動体２５が求める方向に移動することを特徴とする回転体の遠心力による移動方法および移動体であり、
移動装置あるいは駆動装置を有しない被移動体２５に系２４を搭載設置して、移動することを特徴とする。
図中２７は導線である。
【００４４】
図８、９、１０、では対象が水、地面等であり、系２４が上下移動する必要がないため、被移動体２５に対して、左右方向の回動動作となり、被移動体２５は、自身は直線の作用反作用となる移動とはならず、回転体の遠心力による移動により切片の遠心力移動具か発生する遠心力による移動ごとに、後方に蹴らない移動となって、速度が累積して移動する。
【実施例６】
【００４５】
図１１では、下端に前後左右上下斜め等の求める全方向に環状枠８の膨らみ７を向けて移動することが、ハンドル装置３の操作で回動装置２３で回動が可能となり、水中,空中宇宙移動にも用いる。
【００４６】
在来の移動装置に替えて被移動体２５に搭載設置した、支持体１１の上部にハンドル装置３を、下端に回動装置２３を設置した支持体１１の系２４の、環状枠８の枠の膨らみ７の遠心力発生部を、ハンドル装置３を操作して求める方向に向けて、動力装置２６による出力で、回転体９を回動することにより発生する遠心力を捕らえることによる移動力で、求める方向に移動することを特徴とする回転体の遠心力による移動方法および移動体である。
上記各実施例より  支持体が移動具を有して、かつ遠心力発生部を、求める移動方向に向ける手段を具備して求める方向に対象と関係なく移動することを特徴として、  複数の遠心力移動具で、回転体を構成することを特徴として、発生する移動力を増す。
出力により重心移動しない回転体を形成して、該回転体の遠心力発生具である切片である一部分の遠心力移動具を分離して、求める方向の遠心力発生部の膨らみが兼ねている捕捉部で、遠心力で離脱した一部分の遠心力発生具を回転体および回転体の属する系が再び捕捉することにより移動することを特徴とする移動方法および移動体である。
航空機のエンジンと翼に相当する系２４を，単体又は面積の頂点毎に複数個
搭載設置することにより、対象と関係なく移動できる。
【００４７】
出力による回転体で発生する遠心力による移動力を、環状枠８の遠心力発生部兼捕捉部の膨らみ７を求める進行方向に向けることにより、支持体である系２４は移動具を取り付けた被移動体２５ごと移動して、
支持体が被移動体への取り付け具又は自己移動具の移動具を構成して、かつ遠心力発生部および捕捉部を求める移動方向に向ける手段を具備していて、  複数の遠心力移動具、又は流体等の遠心力移動具で、回転体を構成する、回転体の遠心力による移動体であろ。
【００４８】
出力て回転する回転体を、接する枠と付勢手段の縮力で、遠心力を発生せず回動して、上記遠心力が上記縮力に勝ると、分離状態の遠心力移動具は上記回転体を離脱して、移動して上記遠心力発生部兼捕捉部を押すとともに、上記遠心力移動具と回転体を連結した付勢手段で、回転体を進行方向に引くことで支持体が上記遠心力発生部方向に移動することを特徴とする移動方法で、
【００４９】
出力て回転する回転体を、接する枠と付勢手段の縮力で、遠心力を発生させず回動して、停止状態で発生するジャイロ効果で、搭載設置した被移動体とともに転倒しないことを特徴とする回転体の遠心力による移動方法であり、
一回転ごとに回転体の全質量が移動することにより、時あたりの出力は大きく、宇宙移動および重力脱出は容易となる。
【００５０】
回転移動するものは固体の切片に限らず、前記球体等の他、流体、磁性流体等を回転して、遠心力で離脱した流体を環状枠等に替わる膨らみ等の遠心力発生部を形成した流管等で捕捉すれば、再度回転に戻す必要はなく、同義効果が得られる。
上記各実施例が意味することは、回転体の接線方向に切片あるいは切片に相当する質量の、遠心力による直線移動力が、接線方向でなく重心方向に及ぶことを意味しており、切片の重心と回転体の回転軸間の、直角の移動力がはたらくことは自明である。    
【００５１】
上記実施例は、円弧移動する装置を搭載しても、同様に発生する回転体の後方を蹴らない移動方法と同義であり、移動は事前の移動に累積する。
回転体の円弧移動の場合の加力方向成分の回転体への、復帰の手間が必要ない遠心力による移動の本願は、前者に比して利点が多い。
【００５２】
したがって、膨らみとなる遠心力発生部を有する環状枠、あるいは実施例の開口した環状枠に、例示した取り付け具を形成して、転がり輪の支持体に変えて、スクリューのない船、駆動装置を有していない車両、推進器のない航空機、ロケット噴射に変えて宇宙移動体等の被移動体に搭載設置して、あるいは極小に製作して医療機器に搭載して用いれば、自己移動するから、血管等を傷つけず移動が可能となり、また災害時の倒壊現場の救助器具の進入等、対象と関係なく移動することが可能となり、その応用範囲は広い。
離脱した切片は回転体の回転と、伸縮材の縮力により、膨らみを過ぎると切欠き等に復帰して遠心力による移動を繰り返す。
【００５３】
図３は、地面等の対象が滑る等の状態に関係なく回転体９は回転して、回転体９の回転は、移動していない状態でも発生して、ジャイロ効果で転倒を防ぐ。
図２から図７は、図１の移動原理に基づいた、遠心力による回転体９の移動方法および移動体の発明の実施態様を例示して、図５、の移動動作図では、遠心力による切片６あるいは球体１９等の遠心力移動具の移動毎に、全体が置かれた対象１３の回転方向を示す矢印１’の前後動と関係なく移動して、その前の回転体の重心の移動状態と関係なく、遠心力による発生した移動力が累積して移動することを表しており、重力下では出力が弱ければ、対象に荷重がかかる。
また発生した移動力は、地面を蹴る等による移動でないために、対象１３を選ばず無重力下でも移動する。
また回転のための入力方向は自由であり、どの方向からでも回転力となり、出力方向も回転方向に自由であるから、接線で発生する移動力の方向は回転方向に自由となり、作用に対して反作用は自由となり、互いに自由である。
【００５４】
特に、直線の作用反作用では重心を押すために、出力の第一撃の使用のみであるが、前記自由方向の出力を一方向の力として用いるとともに、廃棄されている第一撃以後の出力を回転に入力して利用できる。
【００５５】
また、回転体９の外周を伸縮材で輪状に緊締して、進行方向に開口した環状枠８内を滑動しても、環状枠の膨らみは不要となる等の方法がある。
すなわち、  遠心力の発生する環状枠の膨らみに相当する遠心力発生部および捕捉部の部位の方向の向きを変えることで、移動方向を変えることを制御することにより、移動方向が決まるもので、環状枠の膨らみに相当する方向の向きを変えることで、移動方向は変わる。
【００５６】
本発明の移動方法では、立ておきで例示している回転体を、横置きにすることにより、移動を得られ、円弧移動では、互いに回転体を逆転して対称に対抗して、あるいは積層して反作用を相殺して直進して、遠心力の場合は、無重力下で縦横の区別はない。  
【００５７】
回転体の回転は、地面等の対象に従属しないために、荷重の変化に対して、伸縮材の強度を調整することにより、二輪車は走行時、あるいは停止状態でも、ジャイロ効果で転倒を防止できる。
回転で発生するジャイロ効果は、質量と回転速度で決まり、移動速度とは関係なく、一輪車等の移動体に用いて安全であり、また四輪車等の車両に用いて重心が高い状態でも車輪が対象となる地面と接していないため、移動速度に追従せずに回転が得られてジャイロ効果の安定性が増し同義である。
【００５８】
回転軸を中心として切片で回転体全体を構成して、回転の二方向力の合力を構成すれば、発生する遠心力を連続して利用できて、一周ごとに回転体の全質量の移動が可能となる。    
また、重力下では、密閉した真空な環状枠内又はそれに替わる機構内に、回転体を囲繞収納して、同様の動作を行うことにより、空気等の抵抗を減じて、省エネで、周囲に安全な回転体が形成できて走行ができる。
【００５９】
遠心力発生部が兼ねる遠心力移動具の捕捉方法は、膨らみの形成、球体等の遠心力移動具の移動停止による開口、流体の際の管体の曲部の形成、電子流体の際の、磁界遮蔽等用いる遠心力移動具で変化する。  
回転体の一部分の遠心力による直線の移動力を、発生する回転体が捕捉して直線移動力を得ることにより、回転体および属する系の移動は、対象に依拠しないため、対象に依拠して移動しない自己移動を意味して、対象をける等で対象を傷つけず、自己移動して、発生した移動力はその時点の移動に累積する。  
【００６０】
したがって、図５から図７までの各図の回転体の遠心力で発生する移動動作は、直線の作用反作用とならず、遠心力で発生する移動力による移動であるから、対象１３を後方に蹴らない重心移動となり、移動する切片１３毎に前の移動状態に、関係なく移動力が前の移動状態に累積する状態を表し、図５では地面を表わす対象が、矢印が示す前後に動いても、回転体で発生した遠心力による移動は、対象との関係なく移動して、直角に押す円弧移動においても同義である。
【００６１】
回転体の円弧移動では、重力下では直上方向の加力となって、地面等の対象を押すだけで、遠心力による移動の場合は、対象との関係はなく、いずれの場合も、後方に蹴る対象との関係がないために、回転による出力による回転力は、その現時点の移動と関係なく重心移動に変換して、第一撃後の、直線の作用反作用ては廃棄される劣位の出力を回転力として利用できるとともに、発生した重心を押さない回転力による重心移動は、その時点の停止又は移動状態に累積する。
【００６２】
そのため、実施例では対象が滑る等との関係は駆動輪となる回転体では発生せず、重力下であるため、対象が滑る等の影響を受けずに対象上を転がり輪で転がり、且つジャイロ効果で転倒を防止して、重力による横方向の摩擦の影響を受けず、無重力下でも、摩擦を必要としないため、移動が可能となり、宇宙船内での浮遊状態の解消が容易に行える移動方法および移動体である。
【００６３】
以上回転体の移動は、重心を押して直線移動する従来の移動方法の他に、回転体の移動には、円弧移動と遠心力移動の二つの回転体独自の移動原理による発明である。
上記事実現象を、ロケット等の重心を押して移動する現象と同一視したために、出力の浪費を招く、旧来古来の重心を押す、直線の作用反作用の動きに慣れ、地球温暖化等を来している。
【００６４】
これを要するに、  回転体が、回転体の有する回転力を、回転体がその構成部分を、分離して遠心力で離脱した構成部分を、回転体あるいは属する系が捕捉することにより、回転体あるいは回転体の属する系全体が移動することを特徴とする回転体の遠心力による移動方法および移動体である。
【００６５】
特に、回転体の回転を得るための出力による入力方向と同じ回転力方向の、回
転体から遠心力で離脱した部分の捕捉による直線の移動力を、即ち回転として入力する出力を、直接直線の移動力として、回転体が順方向に出力する、出力の浪費がない移動力として、無駄なく得ることが、また回転体の移動は、重心を押さないで移動するために、円弧移動あるいは遠心力による移動で発生する速度が、回転体の現時点の移動速度に加わることにより、累積して移動することを特徴とする物体の回転による移動方法および移動体である。 
【００６６】
すなわち  いずれの実施例も、回転要素を有する物体又は回転体の一部分を分離して、回転により発生する遠心力により、接線方向に離脱して移動する一部分を、棒高跳び、ステッキ等の、該回転要素を有する物体、又は桂剥きのように、接線方向に移動する干瓢を捕捉して、回転体およびこれらが属する系が捕捉することにより、遠心力が発生するごとに、系が地面等の対象と関係なく移動することを特徴とする回転体の遠心力による移動方法および移動体であり、円弧移動する直角の移動方法とも、対象を押して移動する必要のない点で異なる。
【００６７】
直線の作用反作用による移動ではなく、廃棄していた第一撃以降の劣位の出力を、回転体の円弧移動では回転力がなくなって停止するまで、あるいは遠心力による重心移動では、回転軸を含む回転体が分離離脱して消失するまで用いることが劣位の出力も使用可能となることを特徴とする移動方法および移動体である。
上記実施例および否定されている前願までの重要点を要約すると、
出力の全方位の利用および第一撃以下ゼロまでの利用および、加速度が累積する移動、対象と関係なく移動する利点、円弧移動の有する欠点等がある。                            
回転体の遠心力による重心移動で発生する速度が、上記回転体および属する系の現時点の移動状態に加わることにより、速度が累積して、上記回転体および属する系が移動することを特徴として、  一部分を分離した回転要素を有する物体、又は回転体を形成して、発生する遠心力で接線方向に離脱して移動する上記一部分を、当該回転要素を有する物体又は回転体および属する系が捕捉することにより、遠心力が発生するごとに、自己移動することを特徴として、重心に直角又は接線に、出力で直線で入力して、重心移動しない回転体の回転力を、入力方向と逆方向へ加力しての円弧移動、あるいは入力と順方向に遠心力として表れた移動力を捕らえることを特徴とする移動方法および移動体の発明の例示である。
【００６８】
これを要するに、  回転体が、回転体の有する回転力を、回転体がその構成部分を、分離して遠心力で離脱した構成部分を、回転体あるいは属する系が捕捉することにより、回転体あるいは回転体の属する系全体が移動することを特徴とする回転体の遠心力による移動方法および移動体である。
【産業上の利用可能性】
【００６９】
本願は、先願（２００５−１１２７１８）同様に未確認飛行物体の移動原理の解明途上で発見した物体（回転体）の移動原理に基づく、地上でもありふれた宇宙自然が語る、現象原理に基づいた発明である。
先哲の従来古来の技術常識は、重心方向の直線の作用反作用による物体の移動原理であり、あくまで重心を押す移動であって、物体の接線を押して移動しない回転運動となることを意味しておらず、出力と求める利用エネルギーの乖離の説明はされておらず、出力方向エネルギーの保存が成り立っても回転運動が作用と反作用が等移動を意味することとならない。
【００７０】
競技者の地上と氷上の移動速度の違い、揚力によるとする飛行機等の移動、地面を蹴る直線の作用反作用によるとする車両移動等、尺取虫の移動、電子の直角移動等は、すべて対象に依拠した回転要素の移動形態であり、吾人が学んだ物理の移動原理ではない。
自然界が表している回転体の移動は、その他に電子移動等を含む、重心を直角又は接線を押して、又は遠心力による移動が現象事実として厳存する
爆発等の出力は、出力による重心を押す物体移動と、出力による回転運動が変化した回転体の重心移動であり、後者の(否定されている)事実は、主として回転しない物体にない、回転体あるいは回転要素の有している重心移動原理であり、吾人が慣れた直線の作用反作用の常識と並存する、回転体の否定できない技術常識であり、重心を押して移動する直線の作用反作用での理解説明は、直角の作用反作用、遠心力による作用と反作用が自由となる移動原理現象の、重心を押して移動する直線の作用反作用による理解説明は、先願のように不可能である。
【００７１】
本願は重心に直角又は接線に、出力で直線で入力した、回転体となる物体の重心移動しない回転力が、入力方向と逆方向へ加力しての円弧移動、あるいは入力と順方向に遠心力として表れた重心移動力を捕らえることによる移動方法の発明である。
その間に回転を地面等の対象に伝達して摩擦により、再度回転として後方に蹴る移動方法等と、根本的に異なり、回転を介在することにより出力の利用にロスがなく、重力下、無重力下に関係なく移動する、出力の浪費が原因とする地球温暖化等の環境悪化を防止する、回転体の移動原理による移動方法を特徴とする移動方法および移動体の発明である。
【符号の説明】
【００７２】
１  冬瓜。
１’回転方向又は移動方向を示す矢印
２  干瓢。
３  ハンドル又はハンドル装置。
４  刃物。
５  切欠き。
６  切片。
７  膨らみ。
８  環状枠。
９  回転体。
１０  支持体。    
１１  回転軸。
１２  転がり輪。                                            
１３  対象。
１４  接線方向。
１５  穴。      
１６  伸縮材。  
１７  出力機。
１８  滑車。  
１９  球体。    
２０  棒。  
２１  止め部。
２２  取り付け具。  
２３  回動装置。  
２４  系。
２５  被移動体。
２６  動力装置。
２７  導線。
【図１】
2010265841.tif 000003
【図２】
2010265841.tif 000004
【図３】
2010265841.tif 000005
【図４】
2010265841.tif 000006
【図５】
2010265841.tif 000007
【図６】
2010265841.tif 000008
【図７】
2010265841.tif 000009
【図８】
2010265841.tif 000010
【図９】
2010265841.tif 000011
【図１０】
2010265841.tif 000012
【図１１】
2010265841.tif 000013